Podtech/llm-jp-corpus-v4-ja_patent huggingface dataset:
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
サンプルを収集及び分配するためのサンプリングデバイスであって、
サンプル収集機であって、
キャップ、ならびに、
近位端及び遠位端を有する挿入部分であって、前記挿入部分の近位端が前記キャップに接続されており、吸収剤部分が、前記挿入部分の前記遠位端に、または前記遠位端の近位に配置されており、前記吸収剤部分が、サンプルを収集するように構成されている、前記挿入部分
を備えている、前記サンプル収集機と、
内部チャンバを有する受領セクションであって、前記サンプル収集機が、前記サンプルの収集の後に、前記受領セクションに結合されるように構成されており、前記キャップが、前記内部チャンバを少なくとも部分的に閉じ、前記サンプル収集機の前記吸収剤部分が、前記内部チャンバ内に受領されている、前記受領セクションと、
を備え、
前記吸収剤部分が前記内部チャンバに受領された場合、前記吸収剤部分が、前記受領セクションの抽出表面と干渉して、前記吸収剤部分から前記内部チャンバ内へサンプルを抽出させる、
前記サンプリングデバイス。
【請求項２】
前記抽出表面が、前記受領セクションの前記内部チャンバを少なくとも部分的に規定する壁の表面である、請求項１に記載のサンプリングデバイス。
【請求項３】
前記抽出表面が、前記内部チャンバの底部表面の少なくとも一部、及び／または、前記内部チャンバの側部表面の少なくとも一部を備えている、請求項１または２に記載のサンプリングデバイス。
【請求項４】
前記吸収剤部分が前記抽出表面と干渉する際に、前記吸収剤部分が変形する、請求項１〜３のいずれか一項に記載のサンプリングデバイス。
【請求項５】
前記挿入部分の長さが、前記吸収剤部分が前記内部チャンバ内に受領された際に、前記吸収剤部分が、変形せずに前記内部チャンバに収容され得ないような長さである、請求項４に記載のサンプリングデバイス。
【請求項６】
前記吸収剤部分が、曲げによって変形する、請求項４または請求項５に記載のサンプリングデバイス。
【請求項７】
前記吸収剤部分が、少なくとも９０度、少なくとも１２０度、または、少なくとも１５０度の角度だけ曲がる、請求項６に記載のサンプリングデバイス。
【請求項８】
前記吸収剤部分が、戻るように曲がり、前記吸収剤部分自体に対しての押圧によって変形する、請求項４〜７のいずれか一項に記載のサンプリングデバイス。
【請求項９】
前記吸収剤部分が細長く、前記吸収剤部分が、前記吸収剤部分の中心部分で曲がる、請求項４〜８のいずれか一項に記載のサンプリングデバイス。
【請求項１０】
前記吸収剤部分の長さの少なくとも半分が、前記抽出表面と干渉するように構成されている、請求項９に記載のサンプリングデバイス。
【請求項１１】
前記吸収剤部分が、柔軟なロッドの部分を囲む吸収材料を備えている、請求項１〜１０のいずれか一項に記載のサンプリングデバイス。
【請求項１２】
前記サンプルの収集の後に、前記サンプル収集機を前記受領セクションに固定することにより、サンプルを分配可能であるスポイトを形成する、請求項１〜１１のいずれか一項に記載のサンプリングデバイス。
【請求項１３】
前記受領セクションが、前記サンプルを前記内部チャンバから分配させるように、前記デバイスのユーザによって押圧可能である柔軟な側壁を備えている、請求項１２に記載のサンプリングデバイス。
【請求項１４】
前記キャップが少なくとも１つのアパーチャを備え、前記アパーチャを通して、サンプルを前記サンプリングデバイスから分配することができる、請求項１〜１３のいずれか一項に記載のサンプリングデバイス。
【請求項１５】
前記キャップが、前記アパーチャを選択的にシールするように、開いた位置と閉じた位置との間で移動可能な蓋を備えている、請求項１４に記載のサンプリングデバイス。
【請求項１６】
流路が、前記挿入部分の近位領域において、前記挿入部分本体を通して設けられている、請求項１５に記載のサンプリングデバイス。
【請求項１７】
前記挿入部分の前記近位領域が、前記アパーチャの近位の１つまたは複数の開口を備えている、請求項１６に記載のサンプリングデバイス。
【請求項１８】
前記挿入部分が、前記アパーチャ周りに離間している、接続位置において前記挿入部分を前記キャップに接続する、離間した脚部を備えている、請求項１７に記載のサンプリングデバイス。
【請求項１９】
前記サンプル収集機が、ネジフィットにより、前記受領セクションに結合されており、
ネジ留めの間の前記サンプル収集機の回転は、前記吸収剤部分が前記抽出表面に対して回転することにより、該吸収剤部分からのサンプルの抽出を補助する、請求項１〜１８のいずれか一項に記載のサンプリングデバイス。
【請求項２０】
乾燥剤ハウジングを備えている、請求項１〜１９のいずれか一項に記載のサンプリングデバイス。
【請求項２１】
前記受領セクションがベースを備えており、前記乾燥剤ハウジングが、前記ベースに備えられている、請求項２０に記載のサンプリングデバイス。
【請求項２２】
前記乾燥剤ハウジングが、１つまたは複数のウインドウを備えている、請求項２０または請求項２１に記載のサンプリングデバイス。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
環境から情報を取得するシステムであって、
（ａ）構造化光パターンを形成する少なくとも１つの光ビームを生成する光源と、
（ｂ）少なくとも１つのレンズを有し、前記少なくとも１つの光ビームを構造化光パターンに変換し、前記構造化光パターンを環境に投射可能な歪んだ光パターンに変形する第１の光学系であって、前記少なくとも１つのレンズは車内に投影されたときに、前記歪んだ光パターンによって車室内に変換するのに必要な画角を有し、歪んだ光パターンの所定の形状を生成する、第１の光学系と、
（ｃ）前記環境から戻り、前記環境の少なくとも１つの表面によって変形された前記歪んだ光パターンを含む元のビューを補正された画像に変換する第２の光学系であって、前記歪んだ光パターンの前記形状は、補正されたパターンに補正されている、第２の光学系と、
を備えている、システム。
【請求項２】
前記第１の光学系が、前記少なくとも１つのビームを構造化光パターンに変換し、前記構造化光パターンを歪めて、前記歪んだ光パターンを生成する、請求項１に記載のシステム。
【請求項３】
前記補正されたパターンが、前記構造化光パターンと実質的に同じである、請求項２に記載のシステム。
【請求項４】
前記歪んだ光パターンが、前記構造化光パターンの投射角度より大きい画角を有する、請求項２に記載のシステム。
【請求項５】
前記歪んだ光パターンの前記画角が、５０度と２２０度の間である、請求項２に記載のシステム。
【請求項６】
前記構造化光パターンが、半径方向に歪められて前記歪んだ光パターンにされる、請求項２に記載のシステム。
【請求項７】
前記少なくとも１つのレンズが第１の魚眼レンズを含む、請求項１に記載のシステム。
【請求項８】
前記第１の光学系が回折光学素子（ＤＯＥ）を含む、請求項７に記載のシステム。
【請求項９】
前記第２の光学系が第２の魚眼レンズを含む、請求項７に記載のシステム。
【請求項１０】
前記第１の魚眼レンズおよび／または前記第２の魚眼レンズが、アフォーカルである、請求項９に記載のシステム。
【請求項１１】
前記第２の光学系が第２の魚眼レンズを含み、前記第２の魚眼レンズの光学特性が、前記第１の魚眼レンズの光学特性と実質的に同じである、請求項７に記載のシステム。
【請求項１２】
前記第１の光学系が回折光学素子（ＤＯＥ）を含み、前記ＤＯＥが、前記第１の魚眼レンズの開口面内に位置している、請求項７に記載のシステム。
【請求項１３】
前記第２の光学系によって生成される前記補正された画像を捕捉する撮像センサ、
をさらに備えている、請求項１に記載のシステム。
【請求項１４】
前記撮像センサが、前記表面に形成されるスペックル場を、焦点が合った状態でマッピングするように構成されている、請求項１３に記載のシステム。
【請求項１５】
前記補正された光パターンから、輪郭情報、深さ情報、および表面振動情報の少なくとも１つを導く処理ユニット、
をさらに備えている、請求項１に記載のシステム。
【請求項１６】
前記光源がコリメートレンズを含む、請求項１に記載のシステム。
【請求項１７】
前記少なくとも１つのビームが、８００ｎｍより長い波長を有する、請求項１に記載のシステム。
【請求項１８】
前記少なくとも１つの表面によって変形された前記補正された光パターンを含む前記補正された画像が分析されて、前記環境に関する情報を取得する、請求項１に記載のシステム。
【請求項１９】
車両の内部に取り付けるように構成されている、請求項１に記載のシステム。
【請求項２０】
前記補正された画像を分析して、車両乗員の総数、乗員の位置および動き、乗員の姿勢、乗員の頭部および身体部位の位置、乗員の行動、運転者の監視、チャイルドシートの存在およびその着用状態、座席上の物体の存在、前記車両内の侵入者、前記車両内に置き忘れられた幼児またはペット、の少なくとも１つを導くことができる、請求項１９に記載のシステム。
【請求項２１】
前記少なくとも１つのビームが、平行ビームおよび準平行ビームの少なくとも一方を含む、請求項１に記載のシステム。
【請求項２２】
環境から情報を取得するシステムであって、
（ａ）少なくとも１つの平行ビームを生成する光源と、
（ｂ）前記少なくとも１つのビームを構造化光パターンに変換する第１の光学部品と、少なくとも１つのレンズを有し、前記構造化光パターンを歪めて、環境に投射可能な歪んだ光パターンにする第２の光学部品と、を含み、前記第２の光学部品の前記少なくとも１つのレンズは車内に投影されたときに、前記歪んだ光パターンによって車室内に変換するのに必要な画角を有し、歪んだ光パターンの所定の形状を生成する、光学系と、
を備えており、
前記歪んだ光パターンが、前記構造化光パターンより広い投射角度を有する、
システム。
【請求項２３】
前記歪んだ光パターンの前記画角が、前記構造化光パターンの投射角度の画角の少なくとも４倍である、請求項２２に記載のシステム。
【請求項２４】
前記第１の光学部品が回折光学素子（ＤＯＥ）を含み、前記第２の光学部品がアフォーカル魚眼レンズを含む、請求項２２に記載のシステム。
【請求項２５】
前記歪んだ光パターンが、半径１〜２．５ｍの球の半分をカバーする、請求項２２に記載のシステム。
【請求項２６】
前記歪みが半径方向である、請求項２２に記載のシステム。
【請求項２７】
前記構造化光パターンが、２０〜５０度の角度で投射される、請求項２４に記載のシステム。
【請求項２８】
前記歪んだ光パターンが、５０〜２２０度の角度で投射される、請求項２４に記載のシステム。
【請求項２９】
環境から情報を取得する方法であって、
（ａ）光源によって少なくとも１つのビームを生成するステップと、
（ｂ）少なくとも１つのレンズを使用して、前記少なくとも１つのビームを、環境に投射可能な歪んだ光パターンに変換するステップであって、前記歪みは、歪んだ光パターンの所定の形状にしたがって生成される、ステップと、
（ｃ）前記環境から戻り、前記環境の少なくとも１つの表面によって変形された前記歪んだ光パターンを含む元のビューを補正された画像に変換するステップであって、前記歪んだ光パターンの前記形状は、補正されたパターンに補正されている、ステップと、
を含み、
車内に投影されたときに、前記歪んだ光パターンによって車室内に変換するのに必要な画角を有し、歪んだ光パターンの所定の形状を生成するように、前記少なくとも１つのレンズが選択される、方法。
【請求項３０】
（ｄ）前記補正された画像を撮像センサによって捕捉するステップ、
をさらに含む、請求項２９に記載の方法。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
２つ以上のＬＣ型光フェルールを保持するための再構成可能な光コネクタであって、
縦穴を有する取り外し可能な外側ハウジングと；
前記外側ハウジングの前記縦穴に取り外し可能に受け入れられる少なくとも１つの内側前部ボディであって、２つのＬＣ型光フェルールを支持し、開いた側壁を備えた上部及び底部を備え、嵌合レセプタクルからレセプタクルフックを受け取るように構成されたレセプタクルフック凹部を更に備えている内側前部ボディと；
前記光フェルールを前記嵌合レセプタクルに向けて押すためのフェルールバネと；
前記フェルールバネを支持するための後部ボディと；
を具備した光コネクタ。
【請求項２】
前記外側ハウジング内に、前記前部ボディを前記外側ハウジングに保持するために内側にリテイナを有するフラップを更に備えている、請求項１に記載の再構成可能な光コネクタ。
【請求項３】
前記前部ボディ内に、前記フェルールバネを互いに分離するための壁を更に備えている、請求項１に記載の再構成可能な光コネクタ。
【請求項４】
前記光コネクタを嵌合部品に挿入する又は取り外すために、外側ハウジング上にプッシュプルタブを更に備えている、請求項１に記載の再構成可能な光コネクタ。
【請求項５】
前記プッシュプルタブは、指又はリリースツールを挿入するための凹部又はリリース穴を含んでいる、請求項４に記載の再構成可能な光コネクタ。
【請求項６】
前記内側前部ボディは、前記後部ボディの受け凹部と配列させるための配列タブを含んでいる、請求項１に記載の再構成可能な光コネクタ。
【請求項７】
前記外側ハウジングは、２つの内側ボディ内に、４つのＬＣ型光フェルールを保持するように構成されている、請求項１に記載の再構成可能な光コネクタ。
【請求項８】
前記外側ハウジングは、４つの内側ボディ内に、８つのＬＣ型光フェルールを保持するように構成されている、請求項１に記載の再構成可能な光コネクタ。
【請求項９】
請求項１に記載の再構成可能な光コネクタで終端する光ケーブル。
【請求項１０】
光ケーブルを再構成する方法であって、
請求項９に記載の光ケーブルを提供することと；
前記外側ハウジングを取り外すことと；
内側前部ボディ、フェルール、フェルールバネ、及び後部ボディを、前記外側ハウジングよりも大きい又は小さいフェルール容量を有している少なくとも１つの第２外側ハウジングに挿入することと；
を備えた方法。
【請求項１１】
前記外側ハウジングが２フェルール容量を有し、前記第２外側ハウジングが４フェルール又は８フェルール容量を有している、請求項１０に記載の光ケーブルを再構成する方法。
【請求項１２】
前記外側ハウジングが４フェルール容量を有し、前記少なくとも１つの第２外側ハウジングが２つの第２ハウジングを含み、前記２つの第２ハウジングの各々が２フェルール容量を有している、請求項１０に記載の光ケーブルを再構成する方法。
【請求項１３】
前記外側ハウジングが８フェルール容量を有し、前記少なくとも１つの第２外側ハウジングが４つの第２ハウジングを含み、前記４つの第２ハウジングの各々が２フェルール容量を有している、請求項１０に記載の光ケーブルを再構成する方法。
【請求項１４】
前記外側ハウジングが８フェルール容量を有し、前記少なくとも１つの第２外側ハウジングが２つの第２ハウジングを含み、前記２つの第２ハウジングの各々が４フェルール容量を有している、請求項１０に記載の光ケーブルを再構成する方法。
【請求項１５】
前記外側ハウジングが８フェルール容量を有し、前記少なくとも１つの第２外側ハウジングが３つの第２ハウジングを含み、前記３つの第２ハウジングのうち１つは４フェルール容量を有し、前記３つの第２ハウジングのうち２つは２フェルール容量を有している、請求項１０に記載の光ケーブルを再構成する方法。
【請求項１６】
２つ以上のＬＣ型光フェルールを保持し、外側ボディと、前記２つ以上のＬＣ型光フェルールを収容する内側前部ボディと、前記光フェルールを嵌合接続に向けて付勢するフェルールバネと、前記フェルールバネを支持する後部ボディとを有する光コネクタであって、
前記外側ボディ及び前記内側前部ボディを、４つのＬＣ型光フェルールを有する２つの光コネクタが小型フォームファクタプラグ可能（ＳＦＰ）トランシーバフットプリントに収容されるように構成することを含んだ点において改善されている、光コネクタ。
【請求項１７】
２つ以上のＬＣ型光フェルールを保持し、外側ボディと、前記２つ以上のＬＣ型光フェルールを収容する内側前部ボディと、前記光フェルールを嵌合接続に向けて付勢するフェルールバネと、前記フェルールバネを支持する後部ボディとを有する光コネクタであって、
前記外側ボディ及び前記内側前部ボディを、合計８つのＬＣ型光フェルールを有する少なくとも２つの光コネクタがクワッド小型フォームファクタプラグ可能（ＱＳＦＰ）トランシーバフットプリントに収容されるように構成することを含んだ点において改善されている、光コネクタ。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
サンプル中の自律的に活性なＢ細胞受容体または自律的に活性化されたＢ細胞受容体を、自律的に活性なＢ細胞受容体または自律的に活性化されたＢ細胞受容体に選択的に結合する生物学的結合分子を使用して認識する診断方法であって、前記生物学的結合分子は、配列番号１１、配列番号１２および配列番号１３の配列を含む重鎖の可変部分と、配列番号１４、配列番号１５および配列番号１６の配列を含む軽鎖の可変部分とを含み、かつ、前記自律的に活性なＢ細胞受容体または自律的に活性化されたＢ細胞受容体は、前記結合分子が選択的に結合し、かつ前記Ｂ細胞受容体の自律的に活性な状態または自律的に活性化された状態の原因となる構造ドメインまたはエピトープの存在を特徴とする、診断方法。
【請求項２】
前記結合分子が、サブセット２に特徴的な前記Ｂ細胞受容体の標的配列に選択的に結合することを特徴とする、請求項１記載の診断方法。
【請求項３】
前記結合分子が、
（ｉ）ＫＬＴＶＬＲＱＰＫＡ（配列番号１）および
（ｉｉ）ＶＡＰＧＫＴＡＲ（配列番号２）
からなる群から選択されるアミノ酸配列の存在を特徴とする前記Ｂ細胞受容体の領域に結合することを特徴とする、請求項２記載の診断方法。
【請求項４】
前記結合分子が、抗体またはその機能的断片であることを特徴とする、請求項１から３までのいずれか１項記載の診断方法。
【請求項５】
前記結合分子が、少なくとも１種の蛍光染料を含むことを特徴とする、請求項１から４までのいずれか１項記載の診断方法。
【請求項６】
前記結合分子が、前記Ｂ細胞受容体の自律的に活性な状態または自律的に活性化された状態の原因となる構造ドメインまたはエピトープを持たないＢ細胞の受容体または他の膜構造に結合しないことを特徴とする、請求項１から５までのいずれか１項記載の診断方法。
【請求項７】
前記結合分子が、前記サブセット２に特徴的ではないＢ細胞受容体の標的配列に結合しないことを特徴とする、請求項６記載の診断方法。
【請求項８】
前記結合分子が、請求項３において記載される前記配列のいずれも持たないＢ細胞受容体に結合しないことを特徴とする、請求項７記載の診断方法。
【請求項９】
悪性Ｂ細胞新生物の診断のための、請求項１から８までのいずれか１項記載の診断方法。
【請求項１０】
前記結合分子を、前記サブセット２の重鎖の可変部分のアミノ酸配列（配列番号５）および前記サブセット２の軽鎖の可変部分のアミノ酸配列（配列番号６）を有するＩｇＧ分子による免疫化と、それに続くハイブリドーマ細胞の産生によって取得することを特徴とする、請求項１から９までのいずれか１項において定義される生物学的結合分子を通常の方法で産生する方法。
【請求項１１】
前記結合分子が、抗体またはその機能的断片であることを特徴とする、請求項１０記載の方法。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
検査されることとなる少なくとも１つの表面（６）の上の欠陥を検出するためのデバイスであって、前記検査されることとなる少なくとも１つの表面（６）の上に電磁放射線のビームを投射するために、少なくとも１つの第１のスペクトルバンド（Ｂ１）の中の電磁放射線を放出するように適合されている供給源（１）と、少なくとも１つの第２のスペクトルバンド（Ｂ２）の中において感度の高いビデオカメラ（２）であって、前記供給源（１）によって放出される電磁放射線の前記ビームが投射されるゾーンの中で、前記検査されることとなる少なくとも１つの表面（６）のイメージを取得するように配置されている、ビデオカメラ（２）とを含み、前記少なくとも１つの第１のバンド（Ｂ１）と前記少なくとも１つの第２のバンド（Ｂ２）との間の交差部は、スペクトルワーキングバンド（ＢＬ）を決定する、デバイスにおいて、前記デバイスは、ディフューザー（３）を含み、前記ディフューザー（３）は、前記供給源（１）によって放出される前記電磁放射線の少なくとも一部を妨害するように適合されており、また、前記検査されることとなる少なくとも１つの表面（６）にわたって、前記電磁放射線の強度の空間的分布をより均質にするように適合されており、前記スペクトルワーキングバンド（ＢＬ）は、２００ｎｍ以下のバンド幅を有しており、前記スペクトルワーキングバンド（ＢＬ）は、３００ｎｍから１１００ｎｍの間に含まれていることを特徴とする、デバイス。
【請求項２】
前記スペクトルワーキングバンド（ＢＬ）は、５０ｎｍ以下のバンド幅を有していることを特徴とする請求項１に記載のデバイス。
【請求項３】
前記スペクトルワーキングバンド（ＢＬ）は、２０ｎｍ以下のバンド幅を有していることを特徴とする請求項２に記載のデバイス。
【請求項４】
前記スペクトルワーキングバンド（ＢＬ）は、７５０ｎｍから１０５０ｎｍの間に含まれることを特徴とする請求項１乃至３のいずれか一項に記載のデバイス。
【請求項５】
前記スペクトルワーキングバンド（ＢＬ）は、８００ｎｍから９００ｎｍの間に含まれることを特徴とする請求項４に記載のデバイス。
【請求項６】
前記スペクトルワーキングバンド（ＢＬ）は、８１０ｎｍから８６０ｎｍの間に含まれることを特徴とする請求項５に記載のデバイス。
【請求項７】
前記スペクトルワーキングバンド（ＢＬ）は、８２５ｎｍから８３５ｎｍの間に含まれることを特徴とする請求項６に記載のデバイス。
【請求項８】
前記スペクトルワーキングバンド（ＢＬ）は、８４０ｎｍから８６０ｎｍの間に含まれることを特徴とする請求項６に記載のデバイス。
【請求項９】
前記デバイスは、強度オルタネーター（４）を含み、前記強度オルタネーター（４）は、前記ディフューザー（３）の後に、前記供給源（１）によって放出される前記電磁放射線を妨害するように適合されており、また、低強度電磁放射線ゾーンと交互になる高強度電磁放射線ゾーンを含む前記電磁放射線の空間的配置（５）を、前記検査されることとなる少なくとも１つの表面（６）の上に発生させるように適合されていることを特徴とする請求項１乃至８のいずれか一項に記載のデバイス。
【請求項１０】
前記空間的配置（５）は、低強度電磁放射線ラインと交互になる複数の高強度電磁放射線ラインを含むことを特徴とする請求項９に記載のデバイス。
【請求項１１】
低強度電磁放射線ラインと交互になる前記高強度電磁放射線ラインは、２０ｍｍ以下のピッチ（Ｐ１）を有していることを特徴とする請求項１０に記載のデバイス。
【請求項１２】
前記ピッチ（Ｐ１）は、４ｍｍ以下の幅を有していることを特徴とする請求項１１に記載のデバイス。
【請求項１３】
高強度電磁放射線ゾーンと隣接する低強度電磁放射線ゾーンとの間で前記交互になっていることは、実質的に段階的になっており、その逆もまた同様であることを特徴とする請求項９乃至１２のいずれか一項に記載のデバイス。
【請求項１４】
前記スペクトルワーキングバンド（ＢＬ）は、２つ以上の個別のスペクトルバンドを含むことを特徴とする請求項１乃至１３のいずれか一項に記載のデバイス。
【請求項１５】
塗装されたエレメントの中の塗装欠陥を検出するための方法であって、
ａ）  第１のスペクトルバンド（Ｂ１）の中の電磁放射線を放出するように適合されている電磁放射線供給源（１）を取得するステップと、
ｂ）  検査されることとなる少なくとも１つの表面（６）の上に電磁放射線のビームを投射するステップと、
ｃ）  第２のスペクトルバンド（Ｂ２）の中において感度の高いビデオカメラ（２）を取得するステップであって、前記第１のスペクトルバンド（Ｂ１）と前記第２のスペクトルバンド（Ｂ２）との間の交差部は、ヌルでないスペクトルワーキングバンド（ＢＬ）を決定する、ステップと、
ｄ）  前記電磁放射線供給源（１）によって放出される前記電磁放射線のビームの入射ゾーンの中の前記検査されることとなる少なくとも１つの表面（６）のイメージを取得するように、前記ビデオカメラ（２）を配置するステップと
を含む、方法において、
ｅ）  ディフューザー（３）が取得され、前記ディフューザー（３）は、前記電磁放射線供給源（１）によって放出される前記電磁放射線の強度の空間的分布をより均質にするように適合されており、
ｆ）  前記ディフューザー（３）は、前記電磁放射線供給源（１）によって放出される前記電磁放射線の少なくとも一部を妨害するように、および、その強度をより均質にするように配置されており、
ｇ）  強度オルタネーター（４）が取得され、前記強度オルタネーター（４）は、高強度電磁放射線ゾーンと低強度電磁放射線ゾーンとを交互にする前記電磁放射線の空間的配置（５）を取得するように適合されており、
ｈ）  前記強度オルタネーター（４）は、前記ディフューザー（３）の後に、前記電磁放射線供給源（１）によって放出される前記電磁放射線を妨害するように配置されており、低強度電磁放射線ゾーンと交互になる高強度電磁放射線ゾーンを、前記検査されることとなる表面（６）の上に生成させるようになっており、
ｉ）  前記検査されることとなる表面の上の前記電磁放射線の前記強度の前記空間的配置（５）のイメージは、前記ビデオカメラから取得され、
ｊ）  前記高強度電磁放射線ゾーンの中により低い強度スポットを出現させ、および／または、前記低強度電磁放射線ゾーンの中により高い強度スポットを出現させる欠陥が、識別されることを特徴とする、方法。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
フォトニック変位センサであって、
延出した長手方向軸に沿って整列した第１のバンドギャップを有するコア区分と、
第２のバンドギャップを有する前記コア区分を囲むクラッド区分と、
前記クラッド区分内に埋め込まれた複数のフルオロフォアと、を含む、フォトニックファイバ、を備え、
前記第１のバンドギャップが、前記長手方向軸に沿って向けられる第１の波長を中心とする放射のスペクトルバンドをブロックするように適合され、前記第２のバンドギャップが、前記長手方向軸に対して横方向に向けられる第２の波長を中心とする放射のスペクトルバンドをブロックするよう適合され、
変位が、前記フォトニックファイバの前記第１のバンドギャップおよび前記第２のバンドギャップのうちの少なくとも１つのシフトに基づいて検出され、前記フォトニックファイバの前記変位に比例する放射の強度を検出することを可能にする、フォトニック変位センサ。
【請求項２】
前記コア区分が、ファイバブラッググレーティングを備え、前記クラッド区分が、フォトニック結晶ファイバから構成される、請求項１に記載のフォトニック変位センサ。
【請求項３】
前記クラッドを通して漏れた放射を受けるように、前記フォトニックファイバの前記クラッドに隣接して位置付けられた収集ファイバをさらに備える、請求項１に記載のフォトニック変位センサ。
【請求項４】
第３のバンドギャップを有するコア区分と、前記コア区分を囲むクラッド区分とを含む第２のフォトニックファイバをさらに備え、前記第１のフォトニックファイバが張力を検知し、前記第２のフォトニックファイバが圧縮を検知し、またはその逆であるように適合されている、請求項１に記載のフォトニック変位センサ。
【請求項５】
前記第１のフォトニックファイバおよび前記第２のフォトニックファイバのうちの少なくとも１つを通して漏れた放射を受けるように、前記フォトニックファイバの前記クラッドに隣接して位置付けられた収集ファイバをさらに備える、請求項４に記載のフォトニック変位センサ。
【請求項６】
前記コア区分に位置付けられた複数のフルオロフォアをさらに備え、前記複数のフルオロフォアが、前記第１のバンドギャップと重複する発光波長を有する、請求項１に記載のフォトニック変位センサ。
【請求項７】
前記複数のフルオロフォアが、第１の種類のフルオロフォアおよび第２の種類のフルオロフォアを含み、前記第２の種類の前記フルオロフォアが、前記第１の種類のフルオロフォアの発光によって励起可能である、請求項６に記載のフォトニック変位センサ。
【請求項８】
前記第１の種類のフルオロフォアが、前記コアの前記第１のバンドギャップよりわずかに短い発光波長を有し、前記第２の種類のフルオロフォアが、前記コアの前記第１のバンドギャップよりわずかに長い発光波長を有する、請求項７に記載のフォトニック変位センサ。
【請求項９】
前記第１の種類の前記フルオロフォアが、ツリウム（Ｔｍ＋３）イオンを含み、前記第２の種類の前記フルオロフォアが、ジスプロシウム（Ｄｙ＋３）イオンを含む、請求項７に記載のフォトニック変位センサ。
【請求項１０】
前記クラッド内に第２のコア区分をさらに備え、前記第２のコア区分が、前記第１のコア区分の前記第１のバンドギャップとは異なる第３のバンドギャップを有する、請求項１に記載のフォトニック変位センサ。
【請求項１１】
前記クラッド区分に位置付けられた複数のフルオロフォアをさらに備える、請求項１０に記載のフォトニック変位センサ。
【請求項１２】
前記クラッドから放射を受けるように、前記クラッドに隣接して位置付けられた収集ファイバをさらに備える、請求項１０に記載のフォトニック変位センサ。
【請求項１３】
前記収集ファイバが、複数のフルオロフォアを含む、請求項１２に記載のフォトニック変位センサ。
【請求項１４】
構造における変位を判定する方法であって、
フォトニックセンサを提供することであって、前記フォトニックセンサが、前記構造内に埋め込まれ、延出した長手方向軸に沿って整列した第１のバンドギャップを有するコア区分と、第２のバンドギャップを有する前記コア区分を囲むクラッド区分と、を有する、フォトニックファイバを含み、前記第１のバンドギャップが、前記長手方向軸に沿って向けられる第１の波長を中心とする放射のスペクトルバンドをブロックするように適合され、前記第２のバンドギャップが、前記長手方向軸に対して横方向に向けられる第２の波長を中心とする放射のスペクトルバンドをブロックするよう適合され、前記クラッドが、その中に埋め込まれたフルオロフォアを含む、フォトニックセンサを提供することと、
前記フォトニックファイバを通して、前記第１のバンドギャップ付近に調整された波長の検査放射を透過させることと、
前記コア区分および前記クラッドのうちの少なくとも１つを通して検出された放射の量に応じて前記構造内の変位を判定することと、を含む、方法。
【請求項１５】
前記フォトニックファイバの前記クラッドに隣接して収集ファイバを位置付けることと、
前記収集ファイバの出力で放射を監視することと、をさらに含む、請求項１４に記載の方法。
【請求項１６】
前記構造内に第２のフォトニックファイバを埋め込むことであって、前記第２のフォトニックファイバが、前記第１のバンドギャップとは異なる第３のバンドギャップを有するコア区分を有する、埋め込むことと、
前記収集ファイバの前記出力で検出された放射の波長に応じて、変位が圧縮または伸縮であるかを判定することと、をさらに含む、請求項１５に記載の方法。
【請求項１７】
前記監視することが、前記フォトニックセンサから遠隔で実行される、請求項１５に記載の方法。
【請求項１８】
前記コア区分内に第１および第２種類のフルオロフォアを埋め込むことをさらに含み、前記第２種類の前記フルオロフォアが、前記第１種類の前記フルオロフォアの発光によって励起可能である、請求項１４に記載の方法。
【請求項１９】
前記コア区分が、ファイバブラッググレーティングを備え、前記クラッド区分が、フォトニック結晶ファイバから構成される、請求項１４に記載の方法。
【請求項２０】
変位が生じない場合に、第１の波長の放射が前記コアを通して伝播して、検出可能な第２の波長を放出するフルオロフォアを励起し、
長手方向の変位が生じる場合に、前記第１の波長が前記コア内でブロックされ、前記クラッド内の前記フルオロフォアが励起されず、そのため第２の波長が検出されず、
横方向の変位が生じる場合に、前記第２のバンドギャップが変化し、前記第２の波長とは異なる、検出可能な第３の波長を放出する、請求項１４に記載の方法。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
封止された反応チャンバ内の一次材料において複数の水素原子を吸収することであって、前記一次材料が、１つまたは複数の遷移金属の合金または化合物を備え、前記一次材料が、前記水素原子を取り込んで水素化物を形成するように適応された、吸収することと、
複数の前記水素原子を前記一次材料から励起状態に脱離させることにより、複数の高密度の水素クラスターを形成することであって、形成することが、
アノードとカソードの前記一次材料との間に電流が通された状態で、前記一次材料がガスから電解質溶液を分離する、電解質チャージをすることと、
取り込み側が水素ガスの高圧にさらされるとともに非取り込み側が低圧にさらされる状態で、前記一次材料の両側間に圧力勾配を生成することと、
からなる群から選択された一方または両方を含む、形成することと、
前記一次材料に熱サイクルを適用することにより、高密度の前記水素クラスターの核反応および破砕を始めて、反応生成物を形成することと、
前記水素クラスターの前記核反応および前記破砕の前記反応生成物により搬送されるエネルギーを抽出することと、
を含む、高密度の水素クラスターからエネルギーを生成する方法。
【請求項２】
前記水素原子が、９９％より高い純度で水素同位体を含み、前記水素同位体が、重水素を含む、
請求項１に記載の方法。
【請求項３】
１つまたは複数の前記遷移金属が、金、ハフニウム、イリジウム、ランタン、マグネシウム、ネオジム、ニッケル、パラジウム、白金、ロジウム、銀、タンタル、チタン、イットリウム、亜鉛、およびジルコニウムからなる群から選択される、
請求項１に記載の方法。
【請求項４】
１つまたは複数の前記遷移金属の前記合金または前記化合物が、前記水素化物のアルファ相からベータ相への遷移においてミッシビリティギャップを示さない、
請求項１または請求項３に記載の方法。
【請求項５】
前記水素原子が、前記一次材料の第１の側において吸収され、前記一次材料の第２の側において脱離させられる、
請求項１から請求項４のいずれか一項に記載の方法。
【請求項６】
前記一次材料の前記第１の側に電解電流を印加することを含む、
請求項５に記載の方法。
【請求項７】
複数の前記水素原子を脱離させることが、ある期間にわたって初期値から最終値まで前記電解電流を増やすことを含み、前記最終値が、前記初期値の少なくとも１０倍であり、前記期間が、１秒未満である、
請求項５から請求項６のいずれか一項に記載の方法。
【請求項８】
前記一次材料の前記第１の側に適用される圧力が、ある期間にわたって初期値から最終値まで高められ、前記最終値が、前記初期値の少なくとも１０倍であり、前記期間が、１秒未満である、
請求項５から請求項７のいずれか一項に記載の方法。
【請求項９】
前記一次材料の前記第２の側に適用される温度が、ある期間にわたって初期値から最終値まで上昇させられ、前記初期値から前記最終値までの前記温度の上昇が、少なくとも１００ケルビンであり、前記期間が、５秒未満である、
請求項５から請求項８のいずれか一項に記載の方法。
【請求項１０】
封止された前記反応チャンバが、高い電子密度をもつ、
請求項１から請求項９のいずれか一項に記載の方法。
【請求項１１】
封止された前記反応チャンバが、低い電気陰性度をもつ原子を含み、前記原子が、セシウム、カリウム、リチウム、ナトリウム、およびルビジウムからなる群から選択される、
請求項１から請求項１０のいずれか一項に記載の方法。
【請求項１２】
封止された前記反応チャンバ内に二次材料を追加して前記励起状態の高密度化を円滑化することを含み、
前記二次材料が、ルテニウム、ロジウム、イリジウム、およびニッケルからなる群から選択される、
請求項１から請求項１１のいずれか一項に記載の方法。
【請求項１３】
前記反応生成物からの熱を冷却剤に伝達することを含み、
前記冷却剤が、水を含む、
請求項１から請求項１２のいずれか一項に記載の方法。
【請求項１４】
共有結合の形成および再結合を防止して前記水素クラスターの安定性を維持することを含む、
請求項１から請求項１３のいずれか一項に記載の方法。
【請求項１５】
前記一次材料が、水素膜として機能し、前記水素膜の脱離側が、封止された前記反応チャンバ内に位置する、
請求項１から請求項１４のいずれか一項に記載の方法。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
チャンバーを備え、当該チャンバーは、
放射線源と、
（ｉ）ＤＵＴ（Device Under Test、被試験デバイス）を保持するように構成されるロードボード（ＬＢ）を保持し、（ｉｉ）前記ロードボードを自動テスト装置に電気的に接続するように構成されるロードボードスロットと、
前記放射線源に対して前記ロードボードスロットを配置する少なくとも１つの可動装置と、
命令を受信し、受信した命令に従って、前記少なくとも１つの可動装置を制御するモーション制御部と、を備え、
前記自動テスト装置に接続される前記チャンバーは、前記ＤＵＴの１つ以上の異なるソフトエラーテストを構築し、実行するように構成され、
前記ソフトエラーテストは、
選択的に前記ＤＵＴを放射線に曝露しながら、
ａ）前記ＤＵＴに適切な動作のための電圧を供給し、
ｂ）前記供給に対する応答を前記ＤＵＴからの出力として受信し、
ｃ）前記応答のエラーを数える、
持ち運びができる装置。
【請求項２】
前記放射線源は、アルファ粒子、ガンマ粒子、高エネルギー中性子、低エネルギー中性子、熱中性子、宇宙放射線、又はそれらの任意の組み合わせからなる放射線タイプのグループから粒子を放出することができる請求項１記載の装置。
【請求項３】
前記ロードボードは、様々な異なるデバイスと互換性があるように構成される請求項１記載の装置。
【請求項４】
前記放射線源を覆い、前記放射線源からの放射線束が前記ロードボードに到達することを防止するシャッターを備え、前記シャッターは、前記モーション制御部により制御可能であり、前記放射線源の放射を有効又は無効にする請求項１記載の装置。
【請求項５】
前記自動テスト装置は、前記ロードボードと通信し、前記ロードボードに設置された電子デバイスの動作をテストするように構成される請求項１記載の装置。
【請求項６】
前記放射線源から放射された放射線を検知するように構成される放射線検知器を備える請求項１記載の装置。
【請求項７】
前記ロードボードスロットは、互換性があり、様々なロードボードを前記モーション制御部により決定された場所に配置するように構成される請求項１記載の装置。
【請求項８】
前記受信した命令は、前記自動テスト装置を走査するテストプログラムに基づいている請求項１記載の装置。
【請求項９】
前記モーション制御部は、（ｉ）被試験デバイスのサイズと、（ｉｉ）前記検出器により検出される放射線量のパラメータとのうちの少なくとも一つに従って、前記放射線源に対して前記ロードボードスロットを位置決めする請求項１記載の装置。
【請求項１０】
前記モーション制御部は、前記ロードボードスロットの位置決めにより、前記放射線源と被試験デバイスとの少なくとも一つの配置を制御するように構成される請求項１記載の装置。
【請求項１１】
前記放射線源が、前記ＤＵＴに対して３次元軸に移動するように構成される放射線源容器に配置されるか、又は、前記ＤＵＴが放射線源容器に対して移動するように構成され、前記放射線源容器は、前記ロードボードに接続された被試験デバイスに接続／位置決めされる前記放射線源を配置するように構成される請求項１記載の装置。
【請求項１２】
前記放射線源容器は、周りのツール及び／又は人への放射線の暴露を避けながら、被試験デバイスのみを放射線に曝露するように構成される請求項１１記載の装置。
【請求項１３】
前記チャンバー、ＤＵＴ及び／又はＬＢを熱する又は冷却するように構成されるサーマルチャックを備える請求項１記載の装置。
【請求項１４】
前記チャンバーから気体を除去し、それによって前記チャンバー内の圧力を制御するように構成される真空ポンプを備える請求項１記載の装置。
【請求項１５】
前記チャンバーに気体を注入するように構成される通気孔を備える請求項１記載の装置。
【請求項１６】
シャッターの動作を制御するように構成される検出器シャッターと、前記チャンバーの温度を制御するように構成される温度制御部と、真空ポンプ又は通気孔の動作を制御することによって前記チャンバー内の圧力を制御するように構成される圧力制御部と、をさらに備える請求項１記載の装置。
【請求項１７】
前記モーション制御部は、前記チャンバー内の放射線レベルに基づいて前記自動テスト装置を動作させる請求項１記載の装置。
【請求項１８】
前記位置決めは前記自動テスト装置の動作中である請求項１記載の装置。
【請求項１９】
前記チャンバー内の気体の圧力を変更及び／又は制御するポンプを備える請求項１記載の装置。
【請求項２０】
放射線源からの放射線束が前記ロードボードに到達するのを防止するためのシャッターを備え、当該シャッターは、（１）放射線束を遮断、ブロック、若しくは吸収する機械的デバイス、（２）放射線源を有効又は無効にする電子デバイス、又は（３）放射線加速器若しくは発生器のスイッチをオン若しくはオフにするデバイスである、請求項１記載の装置。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
エレクトロクロミック装置において使用されるエレクトロクロミック材料を形成する方法であって、前記方法は、
（a）透明の導電性基板を提供することと、
（b）前記導電性基板を一つ以上の金属前駆体で被覆することであって、前記金属前駆体は、近赤外放射、紫外線放射及び／又は、オゾンに暴露したときに金属酸化物に変換される金属含有分子である、被覆することと、
（c）一つ以上の前記金属前駆体を、前記導電性基板において前記金属酸化物のフィルムに変換するために、前記被覆された基板を、近赤外放射、紫外線放射及び／又は、有酸素雰囲気においてオゾンに暴露することと、
（d）前記金属酸化物フィルムをアニーリングして前記エレクトロクロミック材料を形成することと、を備え、
前記エレクトロクロミック装置は、
前記エレクトロクロミック材料を含む第１電極と、
対電極と、
前記第１電極と前記対電極との間でイオンを伝導するためのイオン伝導性層とを備える、方法。
【請求項２】
前記アニーリングする工程は、毎分１０℃のランプ速度で、約５０℃〜約７５０℃にて、好ましくは、約５０℃〜約５００℃にて、より好ましくは、約１００℃、２００℃又は６００℃にて１時間行われる、請求項１に記載の方法。
【請求項３】
前記エレクトロクロミック金属酸化物フィルムは、好ましくは、ＮｉＯｘ，ＷＯｘ，ＮｂＯｘ，ＭｏＯｘ，ＭｎＯｘ，ＣｏＯｘ，ＶＯｘ，ＴａＯｘ，ＴｉＯｘ，ＦｅＯｘ及びＩｒＯｘ及びそれらの組み合わせ、混合された金属酸化物、好ましくは、ＬｉＮｉＯｘ，ＴｉＷＯｘ，及びＦｅＮｉＯｘ，又は、ドープされた金属酸化物好ましくは、ＮｂをドープされたＷＯ３又はＴｉをドープされたＷＯ３から選択される請求項１又は２に記載の方法。
【請求項４】
前記金属酸化物フィルムは、ＷＯ３を含む請求項３に記載の方法。
【請求項５】
前記前駆体は、金属塩化物、金属２−エチルヘキサノエート、又は、金属アセチルアセトネートである、請求項１〜４のいずれか１項に記載の方法。
【請求項６】
前記導電性基板は、導電性材料から形成される、請求項１〜５のいずれか１項に記載の方法。
【請求項７】
前記導電性基板は、導電性フィルムで被覆される透明材料から形成され、
好ましくは、前記導電性基板は、フッ素スズ酸化物（ＦＴＯ）、インジウムスズ酸化物（ＩＴＯ）、アルミニウム亜鉛酸化物（ＡＺＯ）又は、ポリエチレンテレフタレート（ＰＥＴ）で被覆されたインジウムスズ酸化物（ＩＴＯ）で被覆された基板である、請求項１〜５のいずれか１項に記載の方法。
【請求項８】
前記ステップ（ｂ）及び前記ステップ（ｃ）は、前記金属酸化物フィルムが所望の厚さを達成されるまで繰り返される、請求項１〜７のいずれか１項に記載の方法。
【請求項９】
前記金属酸化物フィルムは、非晶質金属酸化物フィルムである、請求項１〜８のいずれか１項に記載の方法。
【請求項１０】
前記金属酸化物フィルムは、結晶質金属酸化物フィルムである、請求項１〜８のいずれか１項に記載の方法。
【請求項１１】
前記対電極は、裸のＦＴＯである、請求項１〜１０のいずれか１項に記載の方法。
【請求項１２】
前記対電極は、請求項１において規定されたステップ（a）〜（d）を用いて準備された金属酸化物フィルムで被覆されたＦＴＯであり、好ましくは、前記対電極は、Ｎｉｏｘ又はＴｉＯｘで被覆されたＦＴＯである、請求項１〜１０のいずれか１項に記載の方法。
【請求項１３】
前記イオン伝導性層は、電解液好ましくは、ＬｉＣｌＯ４プロピレンカーボネート電解液である請求項１〜１２のいずれか１項に記載の方法。
【請求項１４】
前記エレクトロクロミック装置は、半導体（ｓｏｌｉｄ  ｓｔａｔｅ）装置である、請求項１〜１２のいずれか１項に記載の方法。
【請求項１５】
前記イオン伝導性層は、電解ゲル、好ましくはＬｉＣｌＯ４プロピレンカーボネートポリ（メチルメタクリレート）ゲル電解質である、請求項１４に記載の方法。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
光学システムであって、
収集端、遷移領域、および出力端を有する光ファイバコアアレイであって、前記光ファイバコアアレイが、コア、クラッド、およびファイバジャケットを各々有する複数の光ファイバで形成され、前記光ファイバコアアレイが、前記収集端で照明ビームを受け取り、前記照明ビームを前記複数の光ファイバ内を伝播する、複数の伝播ビームに変換し、前記出力端で出力するように構成されており、
前記光ファイバコアアレイの前記収集端が、（ｉ）入射照明ビームを受け取るための収集面を有する固定された収集アレイに編成された前記複数の光ファイバの前記コアと、（ｉｉ）前記収集アレイの外側表面を囲みかつ前記収集端の長さを延長させるコーティングと、からなり、
前記遷移領域が、前記収集端から延在し、それぞれのクラッドによって各々囲まれた前記複数の光ファイバの前記コアを備え、
前記出力端が、前記遷移領域から延在し、前記それぞれのクラッドと、前記照明ビームを複数の平行な出力ビームとして伝送するためのそれぞれのファイバジャケットと、によって各々囲まれた前記複数の光ファイバの前記コアを備える、光ファイバコアアレイと、
前記複数の平行な出力ビームを受け取るように配置された複数の光検出器と、を備える、光学システム。
【請求項２】
前記コーティングの厚さが、２００〜６００ミクロンである、請求項１に記載の光学システム。
【請求項３】
前記コーティングが、接着剤である、請求項２に記載の光学システム。
【請求項４】
前記コアを結合して、固定された収集アレイを形成するマイクロ層接着剤をさらに備える、請求項１に記載の光学システム。
【請求項５】
前記複数の光検出器の各々が、画素のアレイを備える、請求項１に記載の光学システム。
【請求項６】
前記固定された収集アレイが、線形アレイである、請求項１に記載の光学システム。
【請求項７】
前記固定された収集アレイが、二次元アレイである、請求項１に記載の光学システム。
【請求項８】
前記コーティングが、長さに沿って一定の屈折率を有する、請求項１に記載のファイバコアアレイ光学システム。
【請求項９】
前記コーティングが、長さに沿って変化する屈折率を有する、請求項１に記載の光学システム。
【請求項１０】
前記複数の光検出器のうちの１つ以上に各々連結された複数の処理装置であって、各処理装置が、１つ以上のプロセッサと、実行されたときに、前記１つ以上のプロセッサに、
前記複数の平行な出力ビームのうちの１つ以上を検出させ、かつ
前記複数の平行な出力ビームのうちの前記検出された１つ以上に基づいて電気信号を生成させる、命令を格納する、１つ以上のメモリと、を備える、複数の処理装置をさらに備える、請求項１に記載の光学システム。
【請求項１１】
生成された各電気信号が、ランダム信号である、請求項１１に記載の光学システム。
【請求項１２】
生成された各電気信号が、光学的非対称信号である、請求項１１に記載の光学システム。
【請求項１３】
前記光学的非対称信号が、空間的非対称信号である、請求項１２に記載の光学システム。
【請求項１４】
前記１つ以上のメモリが、実行されたときに、前記１つ以上のプロセッサに、制御信号に応答して、前記複数の平行な出力ビームのうちの１つ以上を検出させる命令を格納する、請求項１１に記載の光学システム。
【請求項１５】
前記光ファイバコアアレイが、少なくとも１０本の光ファイバを備える、請求項１に記載の光学システム。
【請求項１６】
前記光ファイバコアアレイが、少なくとも１００本の光ファイバを備える、請求項１に記載の光学システム。
【請求項１７】
方法であって、
コア、クラッド、およびファイバジャケットを有する複数の光ファイバで各々形成された光ファイバコアアレイの収集端で照明ビームを受け取ることであって、
前記光ファイバコアアレイの前記収集端が、（ｉ）入射照明ビームを受け取るための収集面を有する固定された収集アレイに編成された前記複数の光ファイバの前記コアと、（ｉｉ）前記収集アレイの外側表面を囲み、かつ前記収集端の長さを延長させるコーティングと、からなる、受け取ることと、
前記照明ビームを、前記複数の光ファイバ内を伝播する複数の伝播ビームに変換することと、
前記照明ビームを、前記光ファイバコアアレイの遷移領域に伝播させることであって、前記遷移領域が、前記収集端から延在し、それぞれのクラッドによって各々囲まれた前記複数の光ファイバの前記コアを備える、伝播させることと、
前記照明ビームを、前記光ファイバコアアレイの出力端へと伝播させることであって、前記出力端が、前記遷移領域から延在し、前記それぞれのクラッドと、前記照明ビームを複数の平行な出力ビームとして伝送するためのそれぞれのファイバジャケットと、によって各々囲まれた前記複数の光ファイバの前記コアを備える、伝番させることと、
前記複数の平行な出力ビームの各々を、前記照明ビームを受け取るように配置された複
数の光検出器からそれぞれの光検出器に伝送することと、を含む、方法。
【請求項１８】
前記複数の光検出器のうちの１つ以上に各々連結された複数の処理装置によって、前記複数の平行な出力ビームのうちの１つ以上を検出することと、
前記複数の処理装置の各々によって、前記複数の平行の出力ビームのうちの前記検出された１つ以上に基づいて電気信号を生成することと、をさらに含む、請求項１７に記載の方法。
【請求項１９】
生成された各電気信号が、ランダム信号である、請求項１８に記載の方法。
【請求項２０】
生成された各電気信号が、光学的非対称信号である、請求項１８に記載の方法。
【請求項２１】
複数の前記生成された電気信号を互いに比較して、前記光学的非対称信号を生成することであって、前記光学的非対称信号が、前記収集端で受け取った前記照明ビームの位置情報の指標である、生成することをさらに含む、請求項２０に記載の方法。